(57)【要約】      （修正有）【課題】様々な形状及び寸法のボウルや鍋に用いることができるすりおろし器セットを提供する。【解決手段】それぞれの軸によって互いに可動に取り付けられ、所望の角度で開かれる２つの翼１、２と、２つの翼１、２に取り付けられた異なる角度の刃またはスライサ３と、２つの翼１、２の下端に取り付けできるミニ・ボウル５と、すりおろされた材料の分量を読むために、２つの翼１、２の間に取り付けできる目盛り部分４とからなる。【選択図】図１
0003168474.tif 000002
【実用新案登録請求の範囲】
【請求項１】
順応性が高い複数のすりおろし器セットに関連するものであり、異なるボウルおよびシチュー鍋上に取り付けることができる２つの翼（１、２）は、軸（１ｃ、２ｃ）に置くことができ；目盛り部分（４）、ミニ・ボウル（５）；該翼に固定することができる、異なる角度の刃／スライサ（３）のような横のアクセサリを有することにおいて特徴付けられる、順応性が高い複数のすりおろし器セット。
【請求項２】
翼＃１（１ｃ）上の軸の棒が、軸上にそれを固定するために翼＃２（２ｃ）上の該軸の孔に摺動することにおいて特徴付けられ、請求項１記載の翼と関連がある順応性が高い複数のすりおろし器セット。
【請求項３】
いかなる所望の角度においても開かれる前記すりおろし器の翼（１、２）がボウルまたはシチュー鍋に配置され、ボウルまたはシチュー鍋でそれを使用するために、それが翼の爪（１ａ、２ａ）を該ボウル／シチュー鍋の側を捕えるようにさせることによって固定される（翼の使用）ことにおいて特徴付けられる、請求項１記載の順応性が高い複数のすりおろし器セット。
【請求項４】
材料の丸まった部分が鍋に落ちるのを可能にする翼の開口（１ｂ、２ｂ）を有することにおいて特徴付けられる、請求項３に記載の翼の使用。
【請求項５】
前記翼と共に使われ、翼の使用と単独での使用との両方の間で変えることができる、異なるすりおろし器（３ａ、３ｂ）およびスライサ（３ｃ、３ｄ）を有することにおいて特徴付けられる、請求項１記載の順応性が高い複数のすりおろし器セット。
【請求項６】
前記目盛り部分（４）が、底部から前記翼間で該目盛り部分を摺動させることによって、および、アクセサリ・ナイフ（４ｂ）および該翼上の翼取付け具突出部（１ｄ、２ｄ）によって該翼（１、２）に固定されることにおいて特徴付けられる、請求項１記載の順応性が高い複数のすりおろし器セット。
【請求項７】
前記目盛りの表面（４ａ）ですりおろされた材料の分量を読むために、前記ミニ・ボウル上のセット間でそれをぴったり合わせることによって該ミニ・ボウル（５）に配置されることにおいて特徴付けられる、請求項１記載の順応性が高い複数のすりおろし器セット。
【考案の詳細な説明】
【技術分野】
【０００１】
本考案は、順応性が高い複数のすりおろし器セットに関連するものであり、異なるボウルおよびシチュー鍋上に取り付けることができる特別な翼の設計を有し、例えば軸（１ｃ、２ｃ）に置くことができる翼（１、２）；目盛り部分（４）、ミニ・ボウル（５）；翼に固定することができる、異なる角度の刃／スライサ（３）のような横のアクセサリを有することにおいて特徴付けられる。
【０００２】
目盛り部分（４）は、順応性が高い複数のすりおろし器セットの翼（１、２）を固定するので、ミニ・ボウル上で使うことができる。それは、すりおろされた材料の厳密な分量を示す。ミニ・ボウル（５）は、料理の間、材料に関して計画された方法を提供する；また、それらの設計は、ユーザがすりおろされた材料（チョコレート、ナッツなど）をすぐにテーブルに出すのに役立つ。順応性が高い複数のすりおろし器セットの翼の設計は、様々な材料のための（チーズ、ナッツ、ニンジンなど）様々なすりおろし器の刃およびスライサの簡単な取替えを可能にする。
【背景技術】
【０００３】
順応性が高い複数のすりおろし器セットの主な特徴は、それらの形状および寸法に関係のないボウルおよびシチュー鍋上へのその適応性である。この特徴は、すりおろし動作の実際的かつ迅速な使用を提供し、他のボウルまたはプレートを傷つけずにユーザが関連した材料をボウルまたはシチュー鍋にすぐにすりおろすことができることである。
【０００４】
目盛りのあるミニ・ボウル上に取り付けることができる従来のすりおろし器は市販されている。しかしながら、ユーザは異なる材料を使用する際に目盛りのあるボウルを洗わなくてはならない。順応性が高い複数のすりおろし器セットによって目盛り部分とミニ・ボウル部分とは切り離される。これは、二つの利点を有する：
‐  ミニ・ボウルを配膳する目的に使うことができる。
‐  異なる材料を複数のミニ・ボウルにすりおろすことができる。
【０００５】
目盛りのあるボウルを有する従来のすりおろし器は、垂直にのみすりおろすことができるが、すりおろし器の角度のある保持位置の方がより人間工学的である。順応性が高い複数のすりおろし器セットのミニ・ボウル底面設計により、ユーザは角度をつけられた位置ですりおろすことができる。
【考案の概要】
【考案が解決しようとする課題】
【０００６】
この製品の目的は、より人間工学的で、実際的かつ効率的なすりおろし動作を提供する新規なすりおろし器の設計を発展させることであり、ユーザは料理の間、複数のすりおろされた材料で計画された方法において作業することができる。
【０００７】
異なるボウルおよびシチュー鍋上へのその適応性は、急速なすりおろし動作の実用的な使用を提供する。これにより、ボウルまたはプレートを傷つけるのも減少させ、皿の傷を減らし、余分な皿洗いの水の使用を減らすことにつながる。
【０００８】
市販の従来の複数のすりおろし器は、洗浄の際の問題となる不都合を有する。順応性が高い複数のすりおろし器セットは、その着脱可能な翼およびすりおろし器／スライサの刃によって簡単にきれいにできる設計を達成する。
【０００９】
繰り返される腕の動きの量およびその厄介なことを考えると、人間工学的な問題は、すりおろし器の設計に不可欠である。順応性が高い複数のすりおろし器セットおよび角度をつけられた使用の翼の設計は、市販の従来のすりおろし器に比べてより人間工学的なすりおろし動作を提供する。
【図面の簡単な説明】
【００１０】
【図１】図１は、単独での使用（ミニ・ボウルでのすりおろし）である。
【図２】図２は、翼の使用（翼の特徴を用いたボウルまたはシチュー鍋でのすりおろし）である。
【図３】図３は、分解図である。
【図４】図４は、翼の使用によりすりおろされた部分である。
【図５】図５は、単独での使用のすりおろし角度である。
【考案を実施するための形態】
【００１１】
順応性が高い複数のすりおろし器セットは、以下の要素で構成される：
‐軸（１ｃ、２ｃ）上に取り付けられ、所望の角度で開かれる二つの翼（１、２）。
‐翼（１、２）上に取り付けられるすりおろし器の刃／スライサ（３）。
‐目盛り部分（４）。
‐ミニ・ボウル（５）。
【００１２】
設計の主な特徴は、それが異なるボウルおよびシチュー鍋に使われることができるということである［翼の使用］。翼（１、２）は、翼＃１（１ｃ）上の軸ロッドを翼＃２（２ｃ）上の軸穴に動かすことによって軸上に取り付けられる。ボウルまたはシチュー鍋上で順応性が高い複数のすりおろし器セットを使用するため［翼の使用］、その翼（１、２）は必要な角度で開かれて、ボウル上に置かれる。翼の爪（１ａ、２ａ）はボウルの端を捕え、順応性が高い複数のすりおろし器セットは、翼の爪の形状によりボウルに固定される。
【００１３】
翼の使用において、材料の丸まった部分は、翼の開口（１ｂ、２ｂ）により、ボウル／シチュー鍋に落ちる（図４）。
【００１４】
異なるすりおろし器（３ａ、３ｂ）およびスライサ（３ｃ、３ｄ）刃は、翼と共に使うことができる。それらは、翼の使用および独立した使用の間の両方ともで変えることができる。
【００１５】
順応性が高い複数のすりおろし器セットは、その特別に設計されたミニ・ボウル  （５）において使うことができる［独立した使用］。独立した使用のために、目盛り部分（４）は、下から翼の間で動かされる。目盛り部分は、目盛り部分上の取付け用切断部（４ｂ）および翼上の取付け具突出部（１ｄ、２ｄ）により翼（１、２）を固定する。
【００１６】
固定された順応性が高い複数のすりおろし器セットは、ミニ・ボウル（５ａ）上のセットの間にそれをぴったり合わせることによってミニ・ボウル（５）に置くことができる。すりおろされた材料の分量は、目盛りの表面（４ａ）で読むことができる。
【００１７】
翼の軸の形状は、翼の使用および独立した使用上の両方ともにおいて翼上の人間工学的なグリップを可能にする。ミニ・ボウル（５）の底面の形状により、ユーザが所望の人間工学的な角度ですりおろすことが可能になる［図５］。
【００１８】
動作
翼の使用（ボウルまたはシチュー鍋で順応性が高い複数のすりおろし器セットを使用する）
ａ．所望のすりおろし器／スライサの刃（３）が、翼上に取り付けられる。
ｂ．翼（１、２）が、必要な角度で開かれる。
ｃ．順応性が高い複数のすりおろし器セットが、ボウル／シチュー鍋上に置かれる。
ｄ．翼の爪（１ａ、２ａ）がボウル／シチュー鍋の端を捕えるまで、順応性が高い複数のすりおろし器セットは押し下げられる。
ｅ．材料は、上部で順応性が高い複数すりおろし器セットを保持することによって所望の側ですりおろされる。
【００１９】
独立した使用（目盛り部分（４）で順応性が高い複数のすりおろし器セットの翼を固定し、ミニ・ボウル（５）上でそれを使用する）
ａ．所望のすりおろし器／スライサの刃（３）が、翼上に取り付けられる。
ｂ．翼は、その取り付け用切断部（４ｂ）が翼（１、２）上の取付け具突出部（１ｄ、２ｄ）上にぴったり合うまで、下から翼の間で目盛り部分（４）を動かすことによって固定される。
ｃ．固定された順応性が高い複数のすりおろし器セットは、それがミニ・ボウル・セット（５ａ）にぴったり合うまでミニ・ボウル（５）に置かれる。
ｄ．材料が、所望の角度で所望の側にすりおろされる。
ｅ．すりおろされた材料の分量は、目盛り表面（４ａ）で読むことができる。
【００２０】
順応性が高い複数のすりおろし器セットの利点（順応性が高い複数のすりおろし器セット）
順応性が高い複数のすりおろし器セットは、異なるボウルおよびシチュー鍋上の実用的な、速くかつきれいなすりおろしを提供する。
−異なるボウルおよびシチュー鍋上へのその適応性は、急速なすりおろし動作の実用的な使用を提供する。これにより、ボウルまたはプレートを傷つけるのも減少させ、皿の傷を減らし、余分な皿洗いの水の使用を減らすことにつながる。
−独立した使用および翼の使用の両方ともにおいて、それは人間工学的なグリップおよびすりおろし角度を提供する。
−独立した使用において、すりおろされた材料の分量は読むことができる。
−ミニ・ボウル上ですりおろされた材料は、それらを他のボウルまたはプレート上へ注ぐことなくすぐにテーブルに出すことができる。
−異なるすりおろし器およびスライサの刃が、順応性が高い複数のすりおろし器セットによって使うことができる。
−順応性が高い複数のすりおろし器セットは、その着脱可能な翼およびすりおろし器／スライサの刃を掃除するのが容易である。
【符号の説明】
【００２１】
（１）  翼＃１
（１ａ）翼＃１‐爪
（１ｂ）翼＃１‐開口
（１ｃ）翼＃１‐軸ロッド
（１ｄ）翼＃１‐取付け具突出部
（２）翼＃２
（２ａ）翼＃２‐爪
（２ｂ）翼＃２‐開口
（２ｃ）翼＃２‐軸穴
（２ｄ）翼＃２‐取付け具突出部
（３）すりおろし器／スライサ刃
（３ａ）刃＃１‐（粗いすりおろし器）
（３ｂ）刃＃２‐（細かいすりおろし器）
（３ｃ）刃＃３‐（チップ・スライサ）
（３ｄ）刃＃４‐（チーズ）
（４）目盛り部分
（４ａ）目盛り表面
（４ｂ）取付け用切断部
（５）ミニ・ボウル
（５ａ）ミニ・ボウル・セット
【図１】
0003168474.tif 000003
【図２】
0003168474.tif 000004
【図３】
0003168474.tif 000005
【図４】
0003168474.tif 000006
【図５】
0003168474.tif 000007
【手続補正書】
【提出日】平成23年4月5日(2011.4.5)
【手続補正１】
【補正対象書類名】実用新案登録請求の範囲
【補正対象項目名】全文
【補正方法】変更
【補正の内容】
【実用新案登録請求の範囲】
【請求項１】
異なるボウルまたはシチュー鍋上に置くことができ、それぞれの軸（１ｃ、２ｃ）によって互いに可動に取り付けられ、所望の角度で開かれる２つの翼（１、２）、；
前記２つの翼（１、２）に取り付けられた異なる角度の刃またはスライサ（３）；
前記２つの翼（１、２）の下端に取り付けできるミニ・ボウル（５）；
すりおろされた材料の分量を読むために、前記２つの翼（１、２）の間に取り付けできる目盛り部分（４）；
からなることにおいて特徴付けられる、順応性が高い複数のすりおろし器セット。
【請求項２】
翼（１）の軸の棒（１ｃ）が、軸上にそれを固定するために翼（２）上の該軸の孔（２ｃ）に摺動することにおいて特徴付けられ、請求項１記載の順応性が高い複数のすりおろし器セット。
【請求項３】
いかなる所望の角度においても開かれる前記すりおろし器の翼（１、２）がボウルまたはシチュー鍋に配置され、ボウルまたはシチュー鍋でそれを使用するために、それが翼の爪（１ａ、２ａ）を該ボウル／シチュー鍋の側を捕えるようにさせることによって固定されることにおいて特徴付けられる、請求項１記載の順応性が高い複数のすりおろし器セット。
【請求項４】
材料の丸まった部分が鍋に落ちるのを可能にする翼の開口（１ｂ、２ｂ）を有することにおいて特徴付けられる、請求項３に記載の順応性が高い複数のすりおろし器セット。
【請求項５】
前記翼と共に使われ、翼の使用と単独での使用との両方の間で変えることができる、異なるすりおろし器（３ａ、３ｂ）およびスライサ（３ｃ、３ｄ）を有することにおいて特徴付けられる、請求項１記載の順応性が高い複数のすりおろし器セット。
【請求項６】
前記目盛り部分（４）が、底部から前記翼間で該目盛り部分を摺動させることによって、および、アクセサリ・ナイフ（４ｂ）および該翼上の翼取付け具突出部（１ｄ、２ｄ）によって該翼（１、２）に固定されることにおいて特徴付けられる、請求項１記載の順応性が高い複数のすりおろし器セット。
【請求項７】
前記目盛りの表面（４ａ）ですりおろされた材料の分量を読むために、前記ミニ・ボウル上で、前記２つの翼（１，２）と前記目盛り部分（４）が組み合わされた状態で該ミニ・ボウル（５）に配置されることにおいて特徴付けられる、請求項１記載の順応性が高い複数のすりおろし器セット。